(57)【要約】【課題】本発明は、シャッターオープンやクローズによる遅延により立体画像の表示品質に悪い影響を及ぼす問題を解決して、顧客が立体メガネを購入する可能性を高めるために、クロック校正装置及びクロック校正方法を提供することを目的とする。【解決手段】本発明は、クロック校正装置（１）を開示している。前記クロック校正装置（１）は、立体メガネに適用される装置であって、画像設備（２）から送信された第一タイミング信号（２０１）を受信する受信ユニット（１０）と、前記立体メガネの第二タイミング信号（１１１）を前記第一タイミング信号（２０１）の周期に同期させ、所定時間経過後、前記第一タイミング信号（２０１）の周期と前記第二タイミング信号（１１１）の周期とを比較して平均偏差量（３０１）を得るとともに、前記第一タイミング信号（２０１）の周期に同期するように、前記平均偏差量（３０１）に基づいて前記第二タイミング信号（１１１）の周期を調整する処理モジュール（１２）と、を含むことを特徴とする。【選択図】図３
2013128262.tif 000002
【特許請求の範囲】
【請求項１】
立体メガネに適用されるクロック校正装置であって、
画像設備から送信された第一タイミング信号を受信する受信ユニットと、
前記立体メガネの第二タイミング信号を前記第一タイミング信号の周期に同期させ、所定時間経過後、前記第一タイミング信号の周期と前記第二タイミング信号の周期とを比較して平均偏差量を得るとともに、前記第一タイミング信号の周期に同期するように、前記平均偏差量に基づいて前記第二タイミング信号の周期を調整する処理モジュールと、を含むことを特徴とするクロック校正装置。
【請求項２】
前記処理モジュールは、前記所定時間の前に、連続的に受信した前記第一タイミング信号に基づいて前記第一タイミング信号の周期を算出し、前記立体メガネの前記第二タイミング信号の周期を前記第一タイミング信号の周期と同じように設定することを特徴とする請求項１記載のクロック校正装置。
【請求項３】
前記所定時間は、３０個の前記第二タイミング信号の周期であることを特徴とする請求項１記載のクロック校正装置。
【請求項４】
前記立体メガネは、タイマーを更に含み、
前記タイマーは、前記第二タイミング信号を有し、
前記処理モジュールは、前記タイマーの前記第二タイミング信号の周期に基づいて、前記立体メガネのシャッターの開閉を行うことを特徴とする請求項１記載のクロック校正装置。
【請求項５】
前記タイマーは、前記第二タイミング信号のクロックをカウントしてカウント値を生成させ、前記処理モジュールは、前記第一タイミング信号の周期と前記第二タイミング信号の周期とを比較するときに、前記カウント値に基づいて前記平均偏差量を得ることを特徴とする請求項４記載のクロック校正装置。
【請求項６】
前記タイマーが前記第二タイミング信号の一つの周期経過するごとに、前記処理モジュールは、前記カウント値をリセットするとともにリセット回数を記録し、所定リセット回数を超えないままで、前記カウント値及び前記リセット回数に基づいて前記平均偏差量を得ることを特徴とする請求項５記載のクロック校正装置。
【請求項７】
前記所定リセット回数は、３０回であることを特徴とする請求項６記載のクロック校正装置。
【請求項８】
前記第一タイミング信号及び前記第二タイミング信号はいずれも、前記立体メガネの左シャッターレリーズタイミング及び右シャッターレリーズタイミングを含むことを特徴とする請求項１記載のクロック校正装置。
【請求項９】
立体メガネに適用されるクロック校正方法であって、
画像設備から送信された第一タイミング信号を受信する工程と、
前記立体メガネの第二タイミング信号を前記第一タイミング信号の周期に同期させる工程と、
所定時間経過後、前記第一タイミング信号の周期と前記第二タイミング信号の周期とを比較して平均偏差量を得る工程と、
前記第一タイミング信号の周期に同期するように、前記平均偏差量に基づいて前記第二タイミング信号の周期を調整する工程と、を含むことを特徴とするクロック校正方法。
【請求項１０】
前記所定時間の前に、処理モジュールにより、連続的に受信した前記第一タイミング信号に基づいて前記第一タイミング信号の周期を算出し、前記立体メガネの前記第二タイミング信号の周期を前記第一タイミング信号の周期と同じように設定する工程を更に含むことを特徴とする請求項９記載のクロック校正方法。
【請求項１１】
前記所定時間は、３０個の前記第二タイミング信号の周期であることを特徴とする請求項９記載のクロック校正方法。
【請求項１２】
前記立体メガネは、タイマーを更に含み、
前記タイマーは、前記第二タイミング信号を有し、
処理モジュールは、前記タイマーの前記第二タイミング信号の周期に基づいて、前記立体メガネのシャッターの開閉を行うことを特徴とする請求項９記載のクロック校正方法。
【請求項１３】
前記タイマーにより、前記第二タイミング信号のクロックをカウントしてカウント値を生成させる工程と、
前記処理モジュールは、前記第一タイミング信号の周期と前記第二タイミング信号の周期とを比較するときに、前記カウント値に基づいて前記平均偏差量を得る工程と、を更に含むことを特徴とする請求項１２記載のクロック校正方法。
【請求項１４】
前記タイマーが前記第二タイミング信号の一つの周期経過するごとに、前記処理モジュールは、前記カウント値をリセットするとともにリセット回数を記録する工程と、
所定リセット回数を超えないままで、前記カウント値及び前記リセット回数に基づいて前記平均偏差量を得る工程と、を含むことを特徴とする請求項１３記載のクロック校正方法。
【請求項１５】
前記所定リセット回数は、３０回であることを特徴とする請求項１４記載のクロック校正方法。
【請求項１６】
前記第一タイミング信号及び前記第二タイミング信号はいずれも、前記立体メガネの左シャッターレリーズタイミング及び右シャッターレリーズタイミングを含むことを特徴とする請求項９記載のクロック校正方法。
【発明の詳細な説明】
【技術分野】
【０００１】
本発明は、クロック校正装置及びクロック校正方法に関し、特に、立体画像表示設備から送信された同期信号を利用して立体メガネの画像品質を向上させることができるクロック校正装置及びクロック校正方法に関する。
【背景技術】
【０００２】
３Ｄ立体メガネの一般的な原理は三種類に分かれている。前記原則の全ては、主に、二つの目が異なる画像を受信して、脳が両方の画像のデータを合併して立体効果が生じる。まず、アナグリフメガネは、通常、一側のレンズが赤色、他側のレンズが青色、緑色、又は他の色である。又、偏光メガネは、偏光原理を用いて、二つのレンズが不適切な光を濾過することで、画像を所望の目に送信することができる。さらに、液晶シャッターメガネは、残像を利用し、右レンズと左レンズが電子制御液晶で右目と左目を交互に遮蔽する。同様に、ディスプレイ素子は、画像を右目と左目に交互に切り替える必要がある。
【０００３】
現在の３Ｄ立体メガネは、主に、パッシブ式の立体メガネ及びアクティブ式の立体メガネとの二種類に分かれている。アクティブ式の立体メガネにおいては、シャッターの駆動のオープンやクローズを問わず、応答時間を必要とする。オープンの遅延があると、シャッターのオープン時間が不足であるため、見られた画像が暗い。クローズの遅延があると、ゴースト現象が発生する。即ち、使用者は、左目が右目で見るべき画像を見る、或いは、右目が左目で見るべき画像を見るため、残像が見られる。故に、シャッターのオープンやクローズによる遅延を問わず、立体画像の表示品質に影響を及ぼす。
【０００４】
図１に示すように、その上図は、通常の状況での立体メガネの正確なシャッターレリーズタイミングを表示する。しかし、画像表示装置と立体メガネとの間の通信は、他の信号の干渉、弱い信号や環境因子（例えば温度変化）により、信号の中断を引き起こす恐れがあり、クロック偏差の問題が生じ、且つ時間とともに徐々にシフトして、累積誤差が生じる（図1の丸で示されている処を参照する）。さらに、各シャッタの応答時間は、数百マイクロ秒以上の誤差値を有する。これらの誤差値は、左目と右目の透光性が異なることを引き起こし、且つゴースト現象を引き起こす可能性がある。したがって、需要からいうと、立体メガネの画像品質を向上できるクロック校正装置及びクロック校正方法を発明するのは、市場と応用上に非常に急迫した課題となっている。
【発明の概要】
【発明が解決しようとする課題】
【０００５】
このような従来技術の問題点に鑑み、本発明の主な目的は、シャッターオープンやクローズによる遅延により立体画像の表示品質に悪い影響を及ぼす問題を解決して、顧客が立体メガネを購入する可能性を高めるために、クロック校正装置及びクロック校正方法を提供することにある。
【課題を解決するための手段】
【０００６】
上述の目的を達成するために、本発明のクロック校正装置を提供する。前記クロック校正装置は、立体メガネに適用される装置であって、画像設備から送信された第一タイミング信号を受信する受信ユニットと、前記立体メガネの第二タイミング信号を前記第一タイミング信号の周期に同期させ、所定時間経過後、前記第一タイミング信号の周期と前記第二タイミング信号の周期とを比較して平均偏差量を得るとともに、前記第一タイミング信号の周期に同期するように、前記平均偏差量に基づいて前記第二タイミング信号の周期を調整する処理モジュールと、を含むことを特徴とする。
【０００７】
上述の目的を達成するために、本発明のクロック校正方法を提供する。前記クロック校正方法は、立体メガネに適用される方法であって、画像設備から送信された第一タイミング信号を受信する工程と、前記立体メガネの第二タイミング信号を前記第一タイミング信号の周期に同期させる工程と、所定時間経過後、前記第一タイミング信号の周期と前記第二タイミング信号の周期とを比較して平均偏差量を得る工程と、前記第一タイミング信号の周期に同期するように、前記平均偏差量に基づいて前記第二タイミング信号の周期を調整する工程と、を含むことを特徴とする。
【０００８】
好ましくは、上記構成の本発明に係るクロック校正装置及びクロック校正方法において、前記処理モジュールは、前記所定時間の前に、連続的に受信した前記第一タイミング信号に基づいて前記第一タイミング信号の周期を算出し、前記立体メガネの前記第二タイミング信号の周期を前記第一タイミング信号の周期と同じように設定する。
【０００９】
好ましくは、上記構成の本発明に係るクロック校正装置及びクロック校正方法において、前記所定時間は、３０個の前記第二タイミング信号の周期である。
好ましくは、上記構成の本発明に係るクロック校正装置及びクロック校正方法において、前記立体メガネは、タイマーを更に含み、前記タイマーは、前記第二タイミング信号を有し、前記処理モジュールは、前記タイマーの前記第二タイミング信号の周期に基づいて、前記立体メガネのシャッターの開閉を行う。
【００１０】
好ましくは、上記構成の本発明に係るクロック校正装置及びクロック校正方法において、前記タイマーは、前記第二タイミング信号のクロックをカウントしてカウント値を生成させ、前記処理モジュールは、前記第一タイミング信号の周期と前記第二タイミング信号の周期とを比較するときに、前記カウント値に基づいて前記平均偏差量を得る。
【００１１】
好ましくは、上記構成の本発明に係るクロック校正装置及びクロック校正方法において、前記タイマーが前記第二タイミング信号の一つの周期経過するごとに、前記処理モジュールは、前記カウント値をリセットするとともにリセット回数を記録し、所定リセット回数を超えないままで、前記カウント値及び前記リセット回数に基づいて前記平均偏差量を得る。
【００１２】
好ましくは、上記構成の本発明に係るクロック校正装置及びクロック校正方法において、前記所定リセット回数は、３０回である。
好ましくは、上記構成の本発明に係るクロック校正装置及びクロック校正方法において、前記第一タイミング信号及び前記第二タイミング信号はいずれも、前記立体メガネの左シャッターレリーズタイミング及び右シャッターレリーズタイミングを含む。
【発明の効果】
【００１３】
以上によると、本発明に係るクロック校正装置及びクロック校正方法は、次のような利点がある。前記クロック校正装置及びクロック校正方法は、画像設備から送信されたタイミング信号に基づき、立体メガネのシャッターの切り換えを維持し、時間の遅延によるゴースト現象を解決し、アクティブ式の立体メガネの表示品質を更に向上させる。
【図面の簡単な説明】
【００１４】
【図１】正確なシャッターレリーズタイミング及びシフトされたシャッターレリーズタイミング示す概要図である。
【図２】シャッター信号と周期とを示す概要図である。
【図３】本発明の実施形態に係るクロック校正装置を示すブロック図である。
【図４】本発明のクロック校正方法を示すフローチャートである。
【図５】本発明の実施形態に係るクロック校正方法を示すフローチャートである。
【図６】図５に基づくシャッタータイミングの調整を示す概要図である。
【図７】図５に基づくシャッタータイミングの調整を示す概要図である。
【発明を実施するための形態】
【００１５】
本発明の他の特徴、内容及び利点ならびにそれが達成できる効果は、以下の詳細な記載と添付図面から明らかになる。理解し易さを優先するため、これらの図面は、各寸法の比を正確に表してはいない。下記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【００１６】
図２は、シャッター信号と周期とを示す概要図である。本発明は、立体画像設備の送信器から送信されたタイミング信号（例えば左シャッターオープン信号、右シャッターオープン信号、左シャッタークローズ信号、右シャッタークローズ信号が挙げられる）の周期に基づき、所定時間経過後、立体メガネのタイミング信号の周期と比較して偏差があるかどうかを判断する。偏差があると、立体画像設備のタイミング信号と立体メガネのタイミング信号が同期するように、平均偏差量を得ることで立体メガネのタイミング信号の周期を調整する。
【００１７】
図３は、本発明の実施形態に係るクロック校正装置を示すブロック図である。図３に示すように、本発明のクロック校正装置１は、立体メガネに適用され、受信ユニット１０、タイマー１１及び処理モジュール１２を含む。この立体メガネのシャッターは、好ましくは、液晶（Liquid Crystal）を組み込んで、透過率の制御によって遮蔽を行うことができる。即ち、液晶が相対的に透明になる（透過率が高い）場合には、実際に実行する時に一般に言われているオープンであり、液晶が相対的に不透明になる（透過率が低い）場合には、実際に実行する時に一般に言われているクローズである。いくつかの実施形態において、前記立体メガネのシャッターは、低いコスト及び低消費電力を有するＲＣ発振器（RC oscillator）を組み込んで、立体メガネのシャッターの切り換えを行う。
【００１８】
立体メガネが作動している時、受信ユニット１０は、外部画像設備２にある信号送信ユニット２０から送信された第一タイミング信号２０１を受信する。本実施形態では、第一タイミング信号２０１は、外部画像設備２から送信された赤外線同期信号であれば良い。処理モジュール１２は、受信ユニット１０及びタイマー１１を電気的に接続でき、処理モジュール１２はマイクロプロセッシングユニット（ＭＰＵ）や中央処理ユニット（ＣＰＵ：Central Processing Unit）を含んでいれば良い。受信ユニット１０が第一タイミング信号２０１を受信すると、処理モジュール１２は、受信ユニット１０によって受信された第一タイミング信号２０１に基づいて第一タイミング信号２０１の周期を算出し、立体メガネの第二タイミング信号１１１の周期を第一タイミング信号２０１の周期と同じように設定する。これにより、処理モジュール１２は、タイマー１１を制御して立体メガネのシャッターをスイッチできる。
【００１９】
一方、画像設備２と立体メガネとの間にある通信チャンネルが妨害される時、即ち受信ユニット１０が、外部画像設備２にある信号送信ユニット２０から送信された第一タイミング信号２０１を受信できない時は、例えば信号の干渉、弱い信号や環境温度の変化等の因子（これらに限定されない）により、信号の中断を引き起こす。処理モジュール１２は、所定時間（限定されないが、例えば３０個の第二タイミング信号１１１の周期である）経過後、第一タイミング信号２０１の周期と第二タイミング信号１１１の周期とを比較して平均偏差量を得るとともに、第一タイミング信号２０１の周期に同期するように、前記平均偏差量に基づいて第二タイミング信号１１１の周期を調整し、校正が完了する。その結果、処理モジュール１２は、校正された第二タイミング信号１１１の周期に基づいて、立体メガネのシャッターの切り換えを行う。
【００２０】
いくつかの実施形態において、タイマー１１は、第二タイミング信号１１１のクロックをカウントしてカウント値１１２を生成させる。処理モジュール１２は、第一タイミング信号２０１の周期と第二タイミング信号１１１の周期とを比較するときに、カウント値１１２に基づいて平均偏差量３０１を得る。又、好ましくは、タイマー１１が第二タイミング信号１１１の一つの周期経過するごとに、処理モジュール１２は、カウント値１１２をリセットする（限定されないが、例えばカウント値１１２がゼロにする）とともに、リセット回数３０２を記録し、所定リセット回数（限定されないが、例えば３０回である）を超えないままで、カウント値１１２及びリセット回数３０２に基づいて平均偏差量３０１を得る。
【００２１】
さらに、第一タイミング信号２０１及び第二タイミング信号１１１はいずれも、立体メガネの左シャッターレリーズタイミング及び右シャッターレリーズタイミングを含む。又、当業者は、設計上の利便性に応じて上記機能モジュールを任意に組み合わせて統合モジュールを成し、或いは、様々な細部の機能ユニットに分けることができる。
【００２２】
本発明のクロック校正装置を前に述べた時に、本発明のクロック校正方法も述べたが、分かりやすくするように、次のように、フローチャートを更に示して詳細に説明する。
図４は、本発明のクロック校正方法を示すフローチャートである。本発明の実施形態において、立体メガネに実行されるクロック校正方法を開示している。前記クロック校正方法は、以下の工程を含む。工程４１は、画像設備から送信された第一タイミング信号を受信する工程である。実際に実行する場合、前に述べたように、受信ユニットは、外部画像設備にある信号送信ユニットから送信された第一タイミング信号を受信する。工程４２は、前記立体メガネの第二タイミング信号を前記第一タイミング信号の周期に同期させる工程である。工程４３は、所定時間（限定されないが、例えば３０個の第二タイミング信号の周期である）経過後、前記第一タイミング信号の周期と前記第二タイミング信号の周期とを比較して平均偏差量を得る工程である。又、工程４４は、前記第一タイミング信号の周期に同期するように、前記平均偏差量に基づいて前記第二タイミング信号の周期を調整する工程である。これらの工程により、校正が完了する。
【００２３】
いくつかの好ましい実施形態において、工程４３の前に、前記処理モジュールにより、連続的に受信した前記第一タイミング信号に基づいて前記第一タイミング信号の周期を算出し、前記立体メガネの前記第二タイミング信号の周期を前記第一タイミング信号の周期と同じように設定する工程を更に含んでもよい。
【００２４】
又、以下には、前記工程を分かりやすくするように、他の実施形態が挙げられ、図面を参照しながら詳細に説明する。
図５は、本発明の実施形態に係るクロック校正方法を示すフローチャートである。このクロック校正方法は、以下の工程を含む。工程５１は、使用者が立体画像を見ている時、立体メガネのクロック校正が開始する。実際に実行する場合には、工程５２のように、タイマーの周波数と周期を予め設定することができる。例えば、実施形態において、外部画像設備の左、右画像のスイッチング周波数は６０Ｈｚであると仮定すると、１個の周期カウント値は１.５ＭＨｚ／６０＝２５０００である。予め設定した周期に立体メガネのタイマーに少なくとも１個の周期のシャッターオープン信号を受信させるように、立体メガネのタイマーの予め設定した周期は、外部画像設備から送信された信号の周期よりも高くなる必要がある。本実施形態において、立体メガネのタイマーの周期カウント値は、１.５ＭＨｚ／３０＝５００００である。実際に実行する場合には、立体メガネのタイマーの予め設定した周期は、外部画像設備の信号規格に応じて調整できる。
【００２５】
工程５３は、受信ユニットが、外部画像設備にある信号送信ユニットから送信された左シャッターオープン信号を始めて受信すると、処理モジュールがタイマーのカウント値を読み取る工程である。工程５４は、受信ユニットが左シャッターオープン信号を二回目で受信すると、処理モジュールがタイマーのカウント値を読み取り、工程５５を実行し、一方、シャッターオープン信号を受信しなければ、工程５７を実行する。実際の状況を考えると、ハードウェア素子及びマイクロプロセッサの運算による誤差があるため、一回目及び二回目での受信した左シャッターオープン信号の両者のクロックの差値は、２５４９７に仮定する。
【００２６】
工程５５において、処理モジュールはタイマーの周期を２５４９７に設定することによって、立体メガネのタイマーの周期を外部画像設備から送信された左シャッターオープン信号の周期に同期させる。次に、工程５６は、処理モジュールがタイマーのリセット回数をゼロにし、工程５３に戻る。これらの前記工程は、一回目及び二回目で受信した同期信号（例えば左シャッターオープン信号、右シャッターオープン信号、左シャッタークローズ信号、右シャッタークローズ信号が挙げられる）とタイマーのカウント値との関係を利用して、両者のクロックの差を理解し、これにより、立体メガネのタイマーの周期を前記同期信号の周期と同じように設定する。
【００２７】
そして、工程５３のように、受信ユニットが信号送信ユニットから送信された左シャッターオープン信号を三回目で受信すると、処理モジュールがタイマーのカウント値を読み取る。注目すべきことは、左シャッターオープン信号を三回目で受信するため、工程５４をスキップして、工程５７を実行する。工程５７では、処理モジュールは、タイマーのリセット回数を記録し、そのリセット回数は１と想定する。その後、工程５８を実行する。タイマーのリセット回数は、３０回以上になると、工程５９を実行し、３０回未満になると、工程５３を実行する。このように繰り返すことは、１個の周期に係る偏差量が小さすぎて、立体メガネのクロック校正の基準としては十分でないことに起因する。したがって、本発明は、このように立体メガネのクロック校正を達成するために、複数の周期が経過した後、総偏差量／周期（平均偏差量）に基づいてタイマーの周期を調整する。
【００２８】
工程５９では、タイマーのカウント値／リセット回数に基づいて平均偏差量を得る。実験データの記録を経て、タイマーのリセット回数が３０回（約500マイクロ秒）に等しくなったとき、読み取られたタイマーのカウント値が９０であると、画像設備と立体メガネの両者のシフトされたクロックは、９０／３０＝３である。次に、工程６０を実行する。工程６０は、平均偏差量（本実施形態においては３である）に基づいてタイマーの周期を調整し、タイマーの周期を２５４９７＋３＝２５５００に校正する。従って、このタイマー内の新しいタイミング信号は、３個のクロック後ろ向きに対応に校正する。上記のデータは、参照のみとして提供するように使用される。実際に実行する場合、異なる平均偏差量に基づいて、タイマーのタイミング信号を前向き／後ろ向きに対応に校正する。これにより、立体メガネのクロック校正が完了する。
【００２９】
図６は、図５に基づくシャッタータイミングの調整を示す概要図である。最初に、外部画像設備のクロックと立体メガネのクロックとは異なるので、立体メガネのタイマーのタイミング信号の周期を、信号送信ユニットから送信された同期信号の周期と同じように設定する。図６に示すように、Ｔ０周期において、受信ユニットが第一タイミング信号を一回目で受信すると、処理モジュールがタイマーのカウント値を読み取り、そのカウント値が１である。受信ユニットが第一タイミング信号を二回目で受信すると、処理モジュールがタイマーのカウント値を読み取り、そのカウント値が２５４９７である。そうして、処理モジュールは、同期信号の周期が２５４９７であると計算し得、これにより、タイマーのタイミング信号の周期を設定する。
【００３０】
図７は、図５に基づくシャッタータイミングの調整を示す概要図である。タイマーが第二タイミング信号の一つの周期を経るごとに、処理モジュールは、カウント値をリセットする（例えばゼロに戻す）とともにリセット回数を記録する。処理モジュールは、所定リセット回数を超えないままで（限定されないが、例えば３０回であり、即ち第二タイミング信号のＴ３１周期である）、読み取られたカウント値（例えば９０である）に基づいて平均偏差量（９０／３０＝３）を計算し得る。即ち、周期ごとに３個のクロックがシフトする。故に、第二タイミング信号の周期を第一タイミング信号の周期に同期するように、タイマーの周期を２５４９７＋３＝２５５００に調整し、校正が完了する。
【００３１】
上記の各工程の詳細な実行方法は、前にクロック校正装置の説明には詳しく記載され、ここでは繰り返して述べない。
以上により、本発明の提出するクロック校正装置及びクロック校正方法は、信号の干渉、弱い信号や環境因子（例えば温度変化）によって発生するクロック偏差の問題に応じて、シャッターをスイッチする時にフリッカーを発生させないように、画像設備から送信された同期信号を利用し、立体メガネのシャッターレリーズタイミングを調整する。これにより、使用者がシャッターフリッカーを感じることができないので、アクティブ式の立体メガネの表示品質を更に向上させる。実験データから明らかなように、校正された最大偏差量でも、依然として正常な視聴時間（約８.３３秒）を維持することができる。故に、本発明の提出するクロック校正装置及びクロック校正方法は、高いコスト及び高消費電力の液晶の代わりに、低いコスト及び低消費電力のＲＣ発振器を使用でき、そうして製造コストを節約し、立体メガネを使用者が購入する可能性を高める。
【００３２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【符号の説明】
【００３３】
１      クロック校正装置
２      外部画像設備
１０    受信ユニット
１１    タイマー
１１１  第二タイミング信号
１１２  カウント値
１２    処理モジュール
２０    信号送信ユニット
２０１  第一タイミング信号
３０１  平均偏差量
３０２  リセット回数
４１〜４４、５１〜６１  工程
Ｔ０、Ｔ１、Ｔ２、Ｔ２９〜Ｔ３３    周期
【図１】
2013128262.tif 000003
【図２】
2013128262.tif 000004
【図３】
2013128262.tif 000005
【図４】
2013128262.tif 000006
【図５】
2013128262.tif 000007
【図６】
2013128262.tif 000008
【図７】
2013128262.tif 000009